(57)【要約】      （修正有）【課題】包被部材付き弓毛用塗布剤について下記の課題を解決する。塗布剤の包被が容易迅速に行える。手指を汚さないで弓毛に塗布剤を塗布することや塗布剤の偏摩耗防止が容易・確実に行える。塗布剤の包被や露出が簡易・適切・安定に行える。屑粉の散乱が起こりがたい。構成が簡潔で包被状態がコンパクトである。製作が容易で低コストが実現する。【解決手段】包被部材２１の外周部側がその内面側に向けて反り上がるように曲面化されている。塗布剤１１の接合面と包被部材２１の内面との間に接着部が形成されてこの二つの構成要素が一体化されている。包被部材２１の折り畳みにより塗布剤１１が包被され、その包被状態が保持手段４１を介して保持される。包被部材２１を展開することにより塗布剤１１の塗布面１２が露出される。【選択図】図１
0003203869.tif 000002
【実用新案登録請求の範囲】
【請求項１】
弦楽器の弦に宛がわれて擦られる弓の弓毛部分に松脂系の塗布剤を塗布するためのものにおいて、
弓毛用の塗布剤とその塗布剤用の包被部材とを具備していること、および、
上記塗布剤が立体的な形状構造物からなり、かつ、当該塗布剤の上下両面について、その一方面が塗布面として設定されているとともに、その他方面が接合面として設定されていること、および、
上記包被部材が上記塗布剤を被い包むことのできる折り畳み可能な面状材料からなるとともに、この面状材料からなる包被部材の外周部側がその内面側に向けて反り上がるように曲面化されていること、および、
上記塗布剤がその接合面を下向きにして上記包被部材の内面側に配置され、かつ、当該塗布剤の接合面と当該包被部材の内面との間に接着部が形成されてこの二つの構成要素が一体化されていること、および、
上記包被部材には、上記塗布剤を包被した状態を保持するための保持手段が設けられていること、および、
上記包被部材の折り畳みにより上記塗布剤が包被されるものであるとともに、その包被状態が上記保持手段を介して保持されるものであること、および、
上記保持手段による包被状態の保持を解いて上記折り畳み状態の包被部材を展開することにより上記塗布剤の塗布面が露出されるものであること
を特徴とする包被部材付き弓毛用塗布剤。
【請求項２】
上記塗布剤が角柱状の形状構造物からなる請求項１に記載された包被部材付き弓毛用塗布剤。
【請求項３】
上記包被部材には放射状のタックが等間隔で複数形成されており、この複数のタックによって、当該包被部材の外周部側がその内面側に向けて反り上がるように曲面化されている請求項１または請求項２に記載された包被部材付き弓毛用塗布剤。
【請求項４】
上記保持手段による包被状態の保持を解いて上記折り畳み状態の包被部材を展開したときの当該包被部材の展開形状が、上面の開放された容器形状になるものである請求項１ないし請求項３のいずれかに記載された包被部材付き弓毛用塗布剤。
【請求項５】
上記塗布剤の接合面と上記包被部材の内面との間に台座部材が介在されて上記接着部が形成されている請求項１ないし請求項４のいずれかに記載された包被部材付き弓毛用塗布剤。
【請求項６】
上記包被部材による上記塗布剤の包被状態を保持するための保持手段として、縛り止め用の線状体が上記包被部材に設けられている請求項１ないし請求項５のいずれかに記載された包被部材付き弓毛用塗布剤。
【請求項７】
上記包被部材による上記塗布剤の包被状態を保持するための保持手段として、縛り止め用の線状体とその線状体の端部を巻き付けるための巻き付け部材とが上記包被部材に設けられている請求項１ないし請求項５のいずれかに記載された包被部材付き弓毛用塗布剤。
【請求項８】
上記包被部材による上記塗布剤の包被状態を保持するための保持手段として、対をなす雄止具と雌止具とが上記包被部材に設けられており、この雄止具と雌止具については、上記包被部材が上記塗布剤を包被したときに互いに対応して合致するように、上記包被部材の一部と他部に分散して取り付けられている請求項１ないし請求項５のいずれかに記載された包被部材付き弓毛用塗布剤。
【考案の詳細な説明】
【技術分野】
【０００１】
本考案は面状の包被部材を具備した弓毛用塗布剤に関し、より詳しくは、バイオリン・ビオラ・チェロ・コントラバス（ベースまたはバス）など擦弦楽器とか弓奏楽器とか称される楽器の弓（弓毛の部分）に塗布剤を塗布したり使用後の塗布剤を包装状態にしたりすることのできる包被部材付き弓毛用塗布剤に関する。
【背景技術】
【０００２】
周知のとおり、バイオリンをはじめとする各種の擦弦楽器（弓奏楽器）は、弓に設けられた弓毛で弦を擦るという奏法をとり、それで発音させる。この場合の弓毛の材質は、馬の尻尾の毛など動物の毛である。
【０００３】
擦弦楽器による楽曲演奏についていうと、弦を弓（弓毛）で単に擦るだけでは音が十分に出ない。その理由は、弓毛と弦との間の摩擦係数が小さいことに起因し、小さな音しか出ないからである。ゆえに擦弦楽器の場合、弦との摩擦係数を大きくするための塗布剤が弓毛に塗布されたりする。かかる場合は、音量不足や音色不調が解消されて擦弦楽器特有の音が十分に発せられるようになる。
【０００４】
上述した弓毛の塗布剤は松脂（ロジン）を主体にしたものからなる。具体的には、天然松脂から不純物を取り除いてそれを固形化するとか、また、天然松脂に柔軟剤を添加してそれを固形化するなど、天然松脂に適当な加工処理を施すことで実用性ある塗布剤が作製されることとなる。最近の状況としては、人工（人造）の松脂からなる塗布剤も提供されはじめている。
【０００５】
この種の塗布剤についていうと、これは単に松脂やロジンのように称されたりする。しかし、実際に商品化されている塗布剤としては、保管ケース入りのもの・保管ケース付きのもの・包被部材付きのものなどが多く、松脂単独での商品形態は皆目といってよいほどみられない。ちなみに、塗布剤については、下記の非特許文献１に掲載されたものなどが商品化されている。
【０００６】
上記のうちで保管ケース入りのものは、布に包まれた状態で塗布剤が保管ケース内に収納されている。このタイプの場合、保管ケース内から取り出された塗布剤が弓毛に宛がわれて塗布される。これに対して保管ケースに取り付けられたもの、とくに、保管ケースが塗布剤把持用のグリップを兼ねるタイプのものは、保管ケースを把持し、当該ケース外に露出した剤の塗布面を弓毛に宛てがいながら擦ることで塗布剤が弓毛に塗布される。さらに、面状をなす包被部材（例：布片）の中央部にブロック形状の塗布剤が張り付けられた包被部材付きのものは、布片の上から塗布剤を掴んでこれを広げ、その布片から露出している剤の塗布面を弓毛に宛がいながら擦ることで塗布剤が弓毛に塗布される。後者のタイプには、ハードカバーないしハードケースで被われた塗布剤が包被部材（布片）の中央部に張り付けられているものもある。
【０００７】
弓毛用塗布剤については、上記のようなものがすでに提供されているのである。そのうちの包被部材付き塗布剤は、下記つぎに述べる<01>〜<04>のような点で実用上の利便性が高い。
<01>  包被部材の上から塗布剤を握把するので、手指が塗布剤に直接触れることがない。よって、塗布剤が手指に付着しない。
<02>  使用に際しては包被部材を広げて塗布剤の一部を露出させるだけであり、使用後も塗布剤を包被部材で包み込むだけであるので、取り扱いが簡便である。
<03>  布など柔軟な包被部材で塗布剤の表面を包み込むので、たとえ、これが他物に触れるとしてもそれを傷つけることがない。また、こうした塗布剤の場合、これを擦弦楽器と共に楽器収納ケース内に収納できるのであるから、楽器への塗布時に塗布剤が手近にないというような不本意な事態も回避することができる。
<04>  塗布剤の包被部材として良質で廉価な布などを採用することができるので、包被部材付き塗布剤の総コストを低減させたり、包被部材の安定包被機能を長期的に保持したりすることができる。
【０００８】
しかしながら、上記の包被部材付き弓毛用塗布剤にも、まだ、下記<05>〜<xx>の点で改善の余地が残されている。
<05>  弓毛への塗布に際して手指動作で包被部材の上から塗布剤を握把しつつその塗布面を露出させるというとき、それを的確に行う上で応分の配慮が必要になる。よって、この塗布剤把持の場合、とくに行いやすいとはいいがたい。
<06>  塗布剤を弓毛に塗布するときには、また、塗布剤の偏摩耗を防止するために塗布面の向きを変更しなければならない。これは塗布の際に適時塗布剤を持ち替えなければならないのであるが、このような変更も手早く楽に行えるとはいいがたい。
<07>  塗布剤を弓毛に塗布するときは、さらに、塗布剤の塗布面を十分かつ安定に露出させてその状態を維持することも必要である。にもかかわらず、弓毛へ塗布剤を塗布しているときに包被部材の端縁などが塗布剤の塗布面側に侵入してきたりするので、当該塗布操作中、塗布面の露出状態を定常的に維持するのが困難になりがちである。
<08>  弓毛に塗布しているときの塗布剤については、これから散乱のしやすい屑粉が発生する。この屑粉は塗布剤を包み込んでいるときの包被部材内に混入したりする。包被状態にある塗布剤を使用する際など、塗布剤の包被部材を広げたりした場合に、そこからこぼれ落ちた屑粉が周囲に散在するので、清掃を余儀なくされる。
<09>  塗布剤を包被部材で包被した場合において、これをそのまま放置したのでは包被状態が維持できない。すなわち、不測の原因で包被崩れが生じて包被部材が開いてしまい、必要もないのに塗布剤を露出させることとなる。その対策として、包被状態にある包被部材をゴムバンドで固定したり、包被された塗布剤を小型の収納ケース内に収納したりするなど、適当な措置を講じているが、この措置は、事後の塗布剤使用も含め、包被操作や包被解除操作が煩わしいものになる。
【先行技術文献】
【非特許文献】
【０００９】
【非特許文献１】「めざせ！  お手入れの達人  弦楽器編」（第２頁−第３頁の松脂、第９頁の松脂）、［ｏｎｌｉｎｅ］、  ２０１５年３月改定、  株式会社ヤハマミュージックジャパン［平成２７年１２月１４日検索］インターネット＜ＵＲＬ：http://download.yamaha.com/api/asset/file/?language=ja&site=jp.yamaha.com&asset_id=59524＞
【考案の概要】
【考案が解決しようとする課題】
【００１０】
本考案は上記のような課題に鑑みなされたものであり、その目的とするところは、塗布剤の包み込みが容易迅速に行えること、手指の汚れをきたさない状態で把持して弓毛部分に塗布剤を塗布するのが簡易・安定・的確に行えること、塗布剤の偏摩耗を防止するための操作が節度をもって容易・確実行えること、不使用時における包被部材を介した塗布剤の包被が簡易・適切・安定に行えること、使用時における塗布剤（塗布面）の露出が簡易に行えること、使用にともなって発生する屑粉の散乱が起こりがたいこと、構成が簡潔で包被状態がコンパクトであること、製作が容易であること、低コストが実現できることなど、これらを満足させることのできる包被部材付き弓毛用塗布剤を提供しようとするものである。
【課題を解決するための手段】
【００１１】
本考案に係る包被部材付き弓毛用塗布剤は、所期の目的を達成するための課題解決手段として、下記の第１項ないし第８項に記載された技術内容を特徴とするものである。
<第１項>
弦楽器の弦に宛がわれて擦られる弓の弓毛部分に松脂系の塗布剤を塗布するためのものにおいて、
弓毛用の塗布剤とその塗布剤用の包被部材とを具備していること、および、
上記塗布剤が立体的な形状構造物からなり、かつ、当該塗布剤の上下両面について、その一方面が塗布面として設定されているとともに、その他方面が接合面として設定されていること、および、
上記包被部材が上記塗布剤を被い包むことのできる折り畳み可能な面状材料からなるとともに、この面状材料からなる包被部材の外周部側がその内面側に向けて反り上がるように曲面化されていること、および、
上記塗布剤がその接合面を下向きにして上記包被部材の内面側に配置され、かつ、当該塗布剤の接合面と当該包被部材の内面との間に接着部が形成されてこの二つの構成要素が一体化されていること、および、
上記包被部材には、上記塗布剤を包被した状態を保持するための保持手段が設けられていること、および、
上記包被部材の折り畳みにより上記塗布剤が包被されるものであるとともに、その包被状態が上記保持手段を介して保持されるものであること、および、
上記保持手段による包被状態の保持を解いて上記折り畳み状態の包被部材を展開することにより上記塗布剤の塗布面が露出されるものであること
を特徴とする包被部材付き弓毛用塗布剤。
<第２項>
上記塗布剤が角柱状の形状構造物からなる第１項に記載された包被部材付き弓毛用塗布剤。
<第３項>
上記包被部材には放射状のタックが等間隔で複数形成されており、この複数のタックによって、当該包被部材の外周部側がその内面側に向けて反り上がるように曲面化されている第１項または第２項に記載された包被部材付き弓毛用塗布剤。
<第４項>
上記保持手段による包被状態の保持を解いて上記折り畳み状態の包被部材を展開したときの当該包被部材の展開形状が、上面の開放された容器形状になるものである第１項ないし第３項のいずれかに記載された包被部材付き弓毛用塗布剤。
<第５項>
上記塗布剤の接合面と上記包被部材の内面との間に台座部材が介在されて上記接着部が形成されている第１項ないし第４項のいずれかに記載された包被部材付き弓毛用塗布剤。<第６項>
上記包被部材による上記塗布剤の包被状態を保持するための保持手段として、縛り止め用の線状体が上記包被部材に設けられている第１項ないし第５項のいずれかに記載された包被部材付き弓毛用塗布剤。
<第７項>
上記包被部材による上記塗布剤の包被状態を保持するための保持手段として、縛り止め用の線状体とその線状体の端部を巻き付けるための巻き付け部材とが上記包被部材に設けられている第１項ないし第５項のいずれかに記載された包被部材付き弓毛用塗布剤。
<第８項>
上記包被部材による上記塗布剤の包被状態を保持するための保持手段として、対をなす雄止具と雌止具とが上記包被部材に設けられており、この雄止具と雌止具については、上記包被部材が上記塗布剤を包被したときに互いに対応して合致するように、上記包被部材の一部と他部に分散して取り付けられている第１項ないし第５項のいずれかに記載された包被部材付き弓毛用塗布剤。
【考案の効果】
【００１２】
本考案に係る包被部材付き弓毛用塗布剤において、塗布剤を用いたり包被したりするときはつぎのようになる。塗布剤を用いるときは、まず、保持手段による包被状態の保持を解いて折り畳み状態の包被部材を展開する。これで塗布剤の塗布面が露出されるので、その塗布面を弓毛に適切に宛てがい適当回数擦り付けて、塗布剤を弓毛に塗り付ける。使用を終えた塗布剤を包被するときは、これを被うように包被部材の折り畳めばよい。その代表的な一例をあげると、包被部材の左右両側部が塗布剤の塗布面上に重なるように同部材の左右両側部を先行して塗布面上に折り込んだ後、この先行折り込みされた包被部材の左右両側部に同部材の前後両側部が重なるようにその前後両側部を塗布面上に後続して折り込むものである。かくて塗布剤は、その塗布面も含めて露出部分のない状態で包被される。さらに、塗布剤を包被している折り畳み状態の包被部材については、その折り畳み包被状態が不本意に解けることがないようにこれを保持手段で保持するものである。
【００１３】
本考案に係る包被部材付き弓毛用塗布剤の使用態様ないし取り扱い態様は上記のようなものである。この本考案品に係る包被部材付き弓毛用塗布剤は、下記<11>〜<18>に記載したような効果を有している。
<11>  包被部材の場合、塗布剤を被い包むことのできる折り畳み可能な面状材料からなるので、自明のとおり塗布剤を被い包むことができる。しかも、この包被部材の場合、該部材の外周部側がその内面側に向けて反り上がるように曲面化されているので、塗布剤を包み込む方向へ折り畳みやすく、したがって塗布剤を容易・迅速、かつ、適切・安定に被い包むことができる。
<12>  包被部材の曲面化された外周部が塗布剤の外周面（周側面）に沿うというものであるから、使用に際して塗布剤を把持するときなどは、包被部材の上から塗布剤の外周面を手指で把持しながら保持手段による包被状態の保持を解くだけでよいこととなる。これは包被部材の曲面化に依拠し、手指汚れをきたすことのない間接接触による塗布剤把持が簡単に実現するということでもある。よって、手指汚れのない間接把持状態による弓毛部分への塗布剤塗布が簡易かつ安定して的確に行えるようになる。
<13>  上記のようにして包被状態の保持を解くことができる場合は、また、塗布剤の塗布面も難なく露出するから、使用時における塗布剤（塗布面）の露出も簡易に行える。
<14>  使用後の塗布剤を包被したときの包被部材内には、塗布剤の屑粉が混入しがちである。これについて既成品の場合、塗布剤の再使用に際して包被部材を解き開いたときに、包被部材内の混入屑粉がそこからこぼれ落ちて周囲に散乱する。これに対し、曲面化された外周部をもつ上記包被部材の場合は、包被部材を解き開いたときに器のような形状を呈して混入屑粉を包被部材内に保留するので、そこから屑粉がこぼれ落ちるという事態がほとんど起こらない。もちろんこの際、包被部材内の混入屑粉を屑籠内に払い入れることができる。したがって、包被部材内の屑粉が周囲に散乱するという事態を未然に防止することができる。
<15>  角柱状塗布剤の外周面については、複数の平坦面（フラット面）で構成されるのが一般である。これはたとえば、［三角柱状塗布剤の外周面→三つの平坦面］、［四角柱状塗布剤の外周面→四つの平坦面］、［五角柱状塗布剤の外周面→五つの平坦面］、［六角柱状塗布剤の外周面→六つの平坦面］、［八角柱状塗布剤の外周面→八つの平坦面］というように、複数の平坦面（フラット面）で構成されるのである。ちなみに、正八角柱状塗布剤について、塗布面を「正八角形ＡＢＣＤＥＦＧＨ」、その中心を「Ｏ」とし、その八つの各辺を「ＡＢ」、「ＢＣ」、「ＣＤ」、「ＤＥ」、「ＥＦ」、「ＦＧ」、「ＧＨ」、「ＨＡ」とした場合、「∠ＡＯＢ」、「∠ＢＯＣ」、「∠ＣＯＤ」、「∠ＤＯＥ」、「∠ＥＯＦ」、「∠ＦＯＧ」、「∠ＧＯＨ」、「∠ＨＯＡ」は、それぞれ「４５度」となる。これは周方向に分布する八つの各辺が、４５度を一単位とする一目盛に対応しているのである。この場合において任意に選択した一つの辺（特定の部位にある外周面）を時計方向または反時計方向に一目盛回したとき、その特定外周面が周方向に４５度変位して１／８回転する。同様に二目盛回したときは同方向に９０度変位して１／４回転、三目盛回したときは同方向に１３５度変位して３／８回転、四目盛回したときは同方向に１８０度変位して１／２回転、さらに、八目盛回したときは３６０度変位して特定外周面が一回転するのである。一方で塗布剤の塗布面は、同じ箇所を定常的に弓毛に宛がいながら擦る続けた場合に、その箇所だけが摩耗するという好ましくない偏摩耗が生じる。この偏摩耗の防止対策としては、適時、塗布剤を周方向に変位させて塗布面の異なる部位を弓毛に宛がうのが簡便といえる。さらにいうと、このような偏摩耗防止対策上からは角柱状塗布剤が望ましいのである。それは特定部位にある外周面を基準にし、かつ、上記のような目盛間隔で時計方向や反時計方向に回すことにより、塗布剤の偏摩耗を防止するための操作が節度をもって容易確実に行えるからである。角柱状塗布剤は、また、円柱などにみられる円周面と比較した場合、各外周面がフラット面であるために持ちやすく、かつ、そこに宛がった指先のスリップなども起こりがたい。よって、弓毛に宛がわれる塗布面の部位を指先の操作で変更することも安定して行える。
<16>  立体的な形状構造の塗布剤と曲面化された面状の包被部材とを主体にしてこの両者を接着一体化した小数部品構成であるので、当該構成が簡潔となりであり、しかも、包被部材を折り畳みながら直接塗布剤を包被するので、その包被状態も嵩張りのないコンパクトなものになる。
<17>  包被部材付き弓毛用塗布剤は、小数部品による簡潔構成であるので、これの製作が容易である。
<18>  包被部材付き弓毛用塗布剤は、また、小数部品による簡潔構成で、その製作も容易であるから、低コストが実現する。
【図面の簡単な説明】
【００１４】
【図１】本考案に係る包被部材付き弓毛用塗布剤の一実施形態における塗布剤包被状態の斜視図と塗布剤露出状態の斜視図とを示したものである。このうちでは、同図（Ａ）が塗布剤包被状態の斜視図に該当し、同図（Ｂ）が塗布剤露出状態の斜視図に該当する。
【図２】図１の断面図と一部分解図を示したものである。この各図のうちでは、同図（Ａ）が断面図に該当し、同図（Ｂ）が一部分解図に該当する。
【図３】本考案に係る包被部材付き弓毛用塗布剤の他実施形態における塗布剤包被状態の斜視図と塗布剤露出状態の斜視図とを示したものである。この各図のうちでは、同図（Ａ）が塗布剤包被状態の斜視図に該当し、同図（Ｂ）が塗布剤露出状態の斜視図に該当する。
【図４】図３（Ａ）の断面図である。
【図５】本考案における各種塗布剤の形態を示したもので、同図（Ａ）〜（Ｇ）はそれぞれ塗布剤の平面図に該当する。
【図６】本考案における各種包被部材の形態を示したもので、同図（Ａ）〜（Ｇ）はそれぞれ塗布剤の内面図に該当する。
【考案を実施するための形態】
【００１５】
はじめに、本考案包被部材付き弓毛用塗布剤について、図１〜図２に例示された実施形態のものを説明する。
【００１６】
図１〜図２において、１１は塗布剤、２１は包被部材、３１は接着部、４１は保持手段をそれぞれ示す。
【００１７】
図１〜図２に例示された塗布剤１１は、天然の松脂を主体にしたものである。この天然の松脂を主体にした塗布剤１１には、必要に応じて添加物が加えられることがある。より具体的には、松脂の硬さを調整するためにひまし油などの柔軟剤が松脂に添加される。もちろん塗布剤１１については、人工（人造）の松脂からなるものであってもよい。
【００１８】
塗布剤１１は立体的な形状構造物からなるものである。一例として図１〜図２に例示されたものは角柱状の形状構造物（八角形の角柱状構造物）からなる。塗布剤１１の上下両面については、その一方面が塗布面１２として設定されており、その他方面が接合面１３として設定されている。塗布剤１１の塗布面１２側は使用にともなって摩耗していくものであるが、塗布剤１１が未使用状態にあるときの当初の塗布面１２は、平坦（フラット）な面を呈している。バイオリン用弓の弓毛を対象とした塗布剤１１について、そのサイズの一例をあげると、幅≒４ｃｍ、奥行き≒４ｃｍ、高さ（厚さ）≒２ｃｍである。ビオラ用弓、チェロ用弓、コントラバス用弓などの弓毛を対象とした塗布剤１１の場合、そのサイズは、上記の具体的寸法を下回る、または、上記の具体的寸法とほぼ同等、あるいは、上記の具体的寸法を上回る。一方、塗布剤１１が円柱状構造物からなる場合、その直径は４ｃｍ前後であり、かつ、その高さは２〜５ｃｍ程度の範囲内にある。
【００１９】
包被部材２１は塗布剤１１を被い包むことのできる折り畳み可能な面状材料からなる。この面状材料は通常、フィルム状・シート状・薄地状などといわれる種類のものであり、折り畳み可能な材料であれば、いずれのものでも使用することができる。包被部材２１として採用することのできる面状材料について具体的なものをあげると、布・不織布・軟質の合成樹脂・軟質のラミネート加工品・皮革・強化紙・軟質の複合材料などがある。具体的一例として図１〜図２に例示された包被部材２１は、パイル織物の一種（ベルベット）からなる。展開状態にある包被部材２１の面状形態（展開状態にある包被部材２１をその内面側からみた面状形態）も任意であり、その選択範囲は後述のとおりであるが、図１〜図２の実施形態において包被部材２１は、八角形に近似した面状形態をしている。
【００２０】
図１〜図２に例示された包被部材２１は、その外周部側が包被部材２１の内面側に向けて反り上がるように曲面化されている。包被部材２１を曲面化するための方法としては、包被部材２１の材質に応じて種々の手段が適宜採用される。これについては熱間プレス成形・冷間プレス成形・接着材による接着・熱溶着・合成樹脂製または金属製の止具によるビンディング・縫製などの曲面化手段あげることができる。図１〜図２の実施形態で代表的一例として提示された包被部材２１の材質は既述の布製である。図１〜図２の実施形態における包被部材２１の曲面化手段としては、このような包被部材２１の材質（布製）に鑑み、縫製による曲面形成部２２が形成されている。より具体的にいうと、包被部材２１には、複数（四つ）の放射状をなすタックが曲面形成部２２として等間隔で形成されており、この複数のタックからなる各曲面形成部２２によって、包被部材２１の外周部側がその内面側に向けて反り上がるように曲面化されている。したがって、図１（Ｂ）のような展開状態にあるときの包被部材２１は、底の浅い容器形状を呈することとなる。
【００２１】
上述の塗布剤１１と包被部材２１とは、直接的に接着されることによって、または、間接的に接着されることによって互いに一体化されるものである。これについて、さらにいうと、直接接着の場合は、塗布剤１１と包被部材２１とが接着剤などで直接的に接着されることとなる。これに対する間接接着の場合、ａ：塗布剤１１と包被部材２１との接着部間に第三の部材が介在されること、ｂ：塗布剤１１と第三部材との相対接着されること、ｃ：包被部材２１と第三部材との相対接着により、塗布剤１１と包被部材２１とが接着一体化されることなど、このａ〜ｃによって接着されることとなる。ちなみに、図１〜図２の実施形態では、図２（Ｂ）で明らかなように、塗布剤１１の接合面１２と包被部材２１の内面との間に台座部材３２が介在され、かつ、塗布剤１１の接合面１２と台座部材３２との間に設けられた接着剤層３３とか、包被部材２１の内面と台座部材３２との間に設けられた接着剤層３４とかを介して、この三者１１・２１・３２が接着されている。すなわち図１〜図２の実施形態では、塗布剤１１の接合面１２と包被部材２１の内面との間に、台座部材３２・接着剤層３３・３４による接着部３１が形成されてこの三者１１・２１・３２が接着一体化されているのである。この接着のために、包被部材２１の内面には、位置決め用のマーカーが付されていたりする。このほか包被部材２１の内面には、ブランド表示・品質表示・品番表示・出所表示などのための布製のラベルないしタグ２６が取り付けられたりする。
【００２２】
図１〜図２にみられる接着部３１の詳細はつぎのとおりである。台座部材３２については、厚紙・薄板・厚地の布・コルク片（薄板状）・合成樹脂板など各種のものを用いることができる。その代表的な一例として、台座部材３２には、適度の弾性を有する薄板状のコルク片が用いられている。接着剤層３３・３４としては、瞬間系・弾性系・２液常温硬化樹脂系・熱硬化性樹脂系・ホットメルト系・エラストマー系・熱可塑性樹脂系・エマルジョン系など、周知の合成系接着剤が用いられる。より具体的には、酢酸ビニル樹脂系エマルション形接着剤・エチレン・酢酸ビニル共重合樹脂（ＥＶＡ）系エマルション形接着剤・α−オレフィン（イソブテン−無水マレイン酸樹脂）系接着剤・アクリル樹脂系エマルション形接着剤・スチレン・ブタジエンゴム系ラテックス形接着剤・酢酸ビニル樹脂系溶剤形接着剤・アクリル樹脂系溶剤形接着剤・塩化ビニル樹脂系溶剤形接着剤・クロロプレンゴム系溶剤形接着剤・クロロプレンゴム系溶剤形マスチックタイプ接着剤・ニトリルゴム系溶剤形接着剤・再生ゴム系溶剤形ＳＢＲ系溶剤形接着剤・ウレタン樹脂系接着剤・エポキシ樹脂系接着剤・シリコーン樹脂系接着剤・変成シリコーン樹脂系接着剤・エポキシ・変成シリコーン樹脂系接着剤・アクリル樹脂系（ＳＧＡ）接着剤・でん粉系接着剤・ポリマーセメントモルタル・エポキシ樹脂モルタル・シリル化ウレタン樹脂系接着剤・などが、包被部材２１や台座部材３２の材質に応じて採択される。ちなみに包被部材２１が布製で台座部材３２がコルク製の場合、エポキシ樹脂系の接着剤とか、シリル化ウレタン樹脂系水性形の接着剤とかが用いられる。
【００２３】
包被部材２１に設けられた保持手段４１は、その包被部材２１による塗布剤１１の包被状態を保持するためのものである。図１〜図２の実施形態で例示された保持手段４１は、縛り止め用の線状体４２を主体にして構成されており、これに巻き付け部材４２が付加されている。線状体４２は、天然繊維製・合成繊維製・天然皮革製・合成皮革製・ゴム製などの周知材料からなるものであり、その一例として、線状体４２は天然皮革製の紐からなる。巻き付け部材４３も、金属製・合成樹脂製・石製・貝殻製などの周知材料からなるものであり、その一例として、巻き付け部材４３は真鍮のような不銹性金属からなる。さらにいうと、図１〜図２に例示されたボタン状の巻き付け部材４３は、表面側から裏面側に向けて突出するＵ字形の環部４４が中央部に形成されている。この金属製の巻き付け部材４３において、環部４４は、たとえばプレス成形などで形成されるものである。
【００２４】
図１〜図２で明らかなように、保持手段４１の構成要素である線状体４２と巻き付け部材４３とは、互いに関連して包被部材２１の取付部（縁部）に取り付けられる。この取り付けのために、包被部材２１の取付部の表裏面（内面と外面）には、皮革または厚地布のような丈夫な当て片２３・２４が接着および／または逢着によって取り付けられる。さらに、この取り付けのために、包被部材２１の取付部には、両当て片２３・２４をも貫通する態様で、二つの隣接した通孔２５ａ・２５ｂが形成される。
【００２５】
線状体４２と巻き付け部材４３とを包被部材２１の取付部（縁部）に取り付けるときの一例は、図２（Ｂ）のとおりである。はじめは、線状体４２の一端部を包被部材２１の内面側から通孔２５ａに通して包被部材２１の外面側に引き出す。つぎに、包被部材２１の外面側に引き出した後の線状体４２の一端部を巻き付け部材４３の環部４４に引き通してＵターンさせる。そのつぎは、Ｕターンさせた後の線状体４２の一端部を包被部材２１の外面側から通孔２５ｂに通して包被部材２１の内面側へと引き戻す。このあとは、線状体４２の一端部と残部とを当て片２４上で結び付け、その結び目を接着剤で固める。かくて包被部材２１に取り付けられた線状体４２と巻き付け部材４３の場合、包被部材２１の縁部において線状体４２が包被部材２１の内面側に位置し、かつ、包被部材２１の縁部において巻き付け部材４３が包被部材２１の外面側に位置することとなる。さらに、包被部材２１の内面側から伸びる線状体４２の自由端部には、滑り止めや手掛かりを兼ねて、固結びによる結び目が形成される。
【００２６】
図１〜図２の実施形態に係る包被部材付き弓毛用塗布剤について、これを使用しないときは図１（Ａ）のように塗布剤１１を包被部材２１で包み込み、その状態を保持手段４１で保持するものである。より詳しくいうと、同図（Ｂ）の展開状態において、はじめに、包被部材２１の前側部を塗布剤１１の塗布面１２上に折り込み、つぎに、包被部材２１の左側部・右側部を、先行折り込み状態にある上記前側部の上に折り重ね、さらに、三重の折り重ね状態となった上記前側部・左側部・右側部の上に折り重ねる。包被部材２１の各部をこのような四重の折り重ね状態にしたとき、すなわち、図１（Ａ）のような包被状態にしたとき、巻き付け部材４３がその包被状態の上面に位置するようになるから、今度はこれを保持手段４１で保持する。具体的にいうと、線状体４２の長さに応じて当該線状体４２を包被部材２１の上から一回ないし２回程度巻き付けた後、その線状体４２の自由端部を巻き付け部材４３の付け根部分（環部４４）に一回ないし２回程度巻き付けるのである。これで図１（Ａ）の包被状態が保持される。この場合において、巻き付け部材４３の付け根部分巻き付けられた線状体４２の自由端部は、意図的に巻き戻さないかぎり、自然に解けるようなことがほとんどない。
【００２７】
一方、塗布剤１１を用いるときは、上記の逆手順で保持手段４１による包被状態の保持を解いて折り畳み状態の包被部材２１を図１（Ｂ）の展開状態にする。これで塗布剤１１の塗布面１２が露出されるので、その塗布面１２を弓毛に適切に宛てがい適当回数擦り付けて塗布剤１１を弓毛に塗り付ける。
【００２８】
図１〜図２の実施形態に係る包被部材付き弓毛用塗布剤において、保持手段４１が線状体４２のみで構成される例、すなわち、巻き付け部材４３が省略される保持手段４１の例もある。この実施形態の場合も、線状体４２の取り付け端部が包被部材２１に取り付けられるので、塗布剤１１を図１（Ａ）のように包み込んだときは、その状態をこの保持手段４１で保持する。この場合において、包被状態の上から巻き付けた後の線状体４２については、その自由端端部を線状体４２の巻き付け部分下に潜らせることで、仮止めすることができる。この線状体４２の自由端部も、意図的に外さないかぎり、自然に解けるようなことがほとんどない。
【００２９】
つぎに、本考案包被部材付き弓毛用塗布剤について、図３〜図４に例示された実施形態のものを説明する。
【００３０】
図３〜図４に例示された実施形態のものは、保持手段４１を除くその他の構成が前例と実質的に同じか、それに準ずるものである。保持手段４１を除く構成については、図１〜図２に例示された実施形態のものを参照することで省略する。
【００３１】
一方、図３〜図４に例示された実施形態での保持手段４１は、金属または合成樹脂からなる雌雄一対のスナップボタン（周知品）からなり、雄止具４５ａと雌止具４５ｂとを備えている。この雌雄一対の止具４５ａ・４５ｂは、包被部材２１を図３（Ａ）の包被状態にしたときに、両止具４５ａ・４５ｂが合致して止め付けることができるような位置にそれぞれ取り付けられている。より具体的にいうと、包被部材２１の前側部の縁や包被部材２１の後側部の縁に、それぞれ止め付け自在に対応して取り付けられている。さらに、包被部材２１の裏面（内面）における雄止具４５ａの取り付け部位には、その取り付け部位に露呈している雄止具４５ａの取付座部を覆い隠すための被覆部材４６が取り付けられている。この被覆部材４６は塗布剤１１に対するプロテクト用のもので、布片・皮革・フェルト・軟質合成樹脂片のような柔らかい材質からなる。被覆部材４６については、この説明から理解できるように、包被部材２１で塗布剤１１を包被した際に雄止具４５ａの硬い取付座部が塗布剤１１に直接接触して塗布剤１１を傷付けたり変形させたりするのを防止するために、上記の部位に設けられているものである。
【００３２】
図３〜図４に例示された実施形態で塗布剤１１を使用しないときは、図３（Ａ）のように塗布剤１１を包被部材２１で包み込み、その状態を雄止具４５ａと雌止具４５ｂとからなる保持手段４１で保持する。この際の包被部材２１による塗布剤１１の包み込み手順は前例と同じである。それで包被部材２１が図３（Ａ）の状態になったとき、雄止具４５ａと雌止具４５ｂとが止め付け可能な相対位置をとるようになるので、周知の操作で両止具４５ａ・４５ｂを止め付ける。
【００３３】
図３〜図４に例示された実施形態で塗布剤１１を用いるときは、周知の操作で保持手段４１たる両止具４５ａ・４５ｂを外し、折り畳み状態の包被部材２１を図３（Ｂ）の展開状態にする。これで塗布剤１１の塗布面１２が露出されるので、その塗布面１２を弓毛に適切に宛てがい適当回数擦り付けて塗布剤１１を弓毛に塗り付ける。
【００３４】
図３〜図４の実施形態に係る包被部材付き弓毛用塗布剤においては、雌雄一対のホックや雌雄一対の面ファスナー、さらに、対をなすボタンとボタンホールなども、保持手段４１として採用することができる。
【００３５】
図５は、本考案において採用することのできる塗布剤１１の形態を各種例示したものである。このうちで図５（Ａ）〜（Ｅ）の塗布剤１１は多角形の柱状をなすものである。さらに、図５（Ｆ）の塗布剤１１は円柱状をなすものである。図５（Ｆ）の塗布剤１１については、この図示のような平面真円形の円柱状以外に、平面楕円形をなす円柱状であってもよい。図５（Ｇ）の塗布剤１１も柱状をなすものであるが、これは塗布面１２側からみた平面形状が四つ葉状ないし四枚の花弁状をなしているものである。その他の塗布剤１１として、塗布面１２側からみた平面形状が人の顔の輪郭・動物の体型・動物の顔の輪郭・アニメのキャラクターの輪郭・自動車の輪郭・建造物の輪郭などを模した形状のもの（いずれも図示せず）がある。欠損防止の点からみた塗布剤１１としては、いずれの立体形状であっても、角部が面取りされたエッジレス態様が望ましい。
【００３６】
図６は、本考案において採用することのできる包被部材２１の展開形態を各種例示したものである。このうちで図６（Ａ）〜（Ｅ）の包被部材２１は多角形をなすものである。また、図６（Ｆ）の包被部材２１は円形をなすものである。もちろん、楕円形の包被部材２１もあり得る。図６（Ｇ）の包被部材２１は四つ葉状ないし四枚の花弁状をなしているものである。包被部材２１についても、塗布剤１１を包み込むことのできる広さ（寸法）を有するものであるかぎり、この図示例以外の任意の展開形態を採用することができる。また、いずれの実施形態からなる包被部材２１も、展開状態においてその内面側に向けて反り上がるように、既述の手段で曲面化されているものである。
【産業上の利用可能性】
【００３７】
本考案に係る包被部材付き弓毛用塗布剤は、擦弦楽器の弓（弓毛の部分）に塗布剤を塗布したり使用後の塗布剤を包装状態にしたりするものであり、この場合の取り扱いが合理的に行える。しかも、これについては製作が容易で低コストも実現する。よって、本考案に係る包被部材付き弓毛用塗布剤の場合、産業上の利用可能性がきわめて高い。
【符号の説明】
【００３８】
１１    塗布剤
１２    塗布面
１３    接合面
２１    包被部材
２２    曲面形成部
２３    当て片
２４    当て片
２５ａ  通孔
２５ｂ  通孔
２６    ラベルないしタグ
３１    接着部
３２    台座部材
３３    接着剤層
３４    接着剤層
４１    保持手段
４２    線状体
４３    巻き付け部材
４４    環部
４５ａ  雄止具
４５ｂ  雌止具
４６    被覆部材
【図１】
0003203869.tif 000003
【図２】
0003203869.tif 000004
【図３】
0003203869.tif 000005
【図４】
0003203869.tif 000006
【図５】
0003203869.tif 000007
【図６】
0003203869.tif 000008